(57)【要約】【課題】銘板の浮き上がりを防止すると共に簡単な構成で水仕舞する。【解決手段】ハウジング１７の露出部７０に切欠き部８０を設けて一部が露出部７０に一体に連設し且つ連設部７１をヒンジとして回動してスイッチ７２を操作するためのスイッチ操作部７３を設ける。露出部７０の外面に変形性を有する銘板７４を重ねる。銘板７４の外面側に操作用孔７５を有する保護プレート７６を配置すると共に保護プレート７６をハウジング１７に取付ける。操作用孔７５を銘板７４を介してスイッチ操作部７３に対向させ、保護プレート７６の背面に操作用孔７５の周囲を下端部のみを開口させて囲むように庇用リブ７７を突設すると共に庇用リブ７７の両下端部間の開口を排水用開口７８とする。庇用リブ７７を露出部７０における切欠き部８０の周囲の部位に銘板７４を介して押え付ける。【選択図】        図１
2004353204.tif 000002
【特許請求の範囲】
【請求項１】
ドア枠又は子扉又は扉又は門扉よりなる取付け部材に取付けられる電気錠のコントローラユニットにおいて、コントローラユニットのハウジングを取付け部材に取付けた状態で取付け部材の外面に露出するハウジングの露出部にハウジング内に内装したスイッチを操作するためのスイッチ操作部を設け、該スイッチ操作部の周囲に切欠き部を形成すると共にスイッチ操作部と露出部とをヒンジとなる連設部により一体に連設し、露出部の外面に変形性を有する銘板を重ね、該銘板の外面側に操作用孔を有する保護プレートを配置すると共に保護プレートをハウジングに取付け、操作用孔を銘板を介してスイッチ操作部に対向させ、保護プレートの背面に操作用孔の周囲を下端部のみを開口させて囲むように庇用リブを突設すると共に庇用リブの両下端部間の開口を排水用開口とし、この庇用リブを露出部における切欠き部の周囲の部位に銘板を介して押えつけて成ることを特徴とする電気錠のコントローラユニットの水仕舞構造。
【請求項２】
排水用開口の両側に位置する庇用リブの両下端部のうち、一方の下端部から他方の下端部を越えて斜め下方に向けて傾斜リブ部を延設して成ることを特徴とする請求項１記載の電気錠のコントローラユニットの水仕舞構造。
【請求項３】
保護プレートの背面に露出部における切欠き部の周囲の部位を銘板を介して押さえるための上記庇用リブとは別の浮き上がり防止リブを設け、上記傾斜リブの下端部に上下方向を向いた浮き上がり防止リブの上端部を連設して成ることを特徴とする請求項２記載の電気錠のコントローラユニットの水仕舞構造。
【発明の詳細な説明】
【０００１】
【発明の属する技術分野】
本発明は、ドア枠又は子扉又は扉又は門扉よりなる取付け部材に取付ける電気錠のコントローラユニットの水仕舞構造に関するものである。
【０００２】
【従来の技術】
従来から玄関扉に電気錠が使用されており、この電気錠のコントローラユニットは従来は建物の壁に取付けてある。（例えば特許文献１参照）
このように建物の壁にコントローラユニットが設けてあると、コントローラユニットの位置が扉から離れており、電気錠の開閉操作を使用者がし難いという問題がある。
【０００３】
そこで、玄関の扉の吊元側の端面に設けた切欠部内に制御部や受信機を収納し、カードキーによる電気錠の開閉操作を容易にしようとするものが提案されている。（例えば特許文献２参照）
また、玄関の扉の外面に突出する把手に設けた凹部にアンテナを備えたリーダ装置を収納してカバーで覆うようにしたものも知られている。（例えば特許文献３参照）
【０００４】
【特許文献１】
特開２００２−７０３７８号公報
【特許文献２】
特開平１１−２２９６８５号公報
【特許文献３】
特開平８−２６５２１３号公報
【０００５】
【発明が解決しようとする課題】
ところが、上記のような電気錠はいずれも直接雨水が降りかからない部分に取付ける電気錠のコントローラユニットであるが、このような玄関の扉等に取付ける電気錠のコントローラユニットを門扉等に取付て使用しようとすると、コントローユニットに直接雨水が掛かるため、防水構造にする必要がある。防水構造とするには、電気部分の密閉構造、パッキン等によるケーシングの密閉防水が考えられるが、屋外で用いられ温度環境の激変が予想されるため内部に水分が浸入してしまうおそれがある。また、コントローラユニットの外部への露出部に内部に内装したスイッチを操作するためにハウジングに別体のスイッチ操作部を設けてスイッチ操作を行うようにしているが、構造が複雑となり、特にこの部分の防水をするには一層構造が複雑となり、コストアップの原因となるという問題があり、更にスイッチ操作部のみが露出していると、損傷しやすい。
【０００６】
そこで、本発明に至る過程で本発明者は、コントローラユニットのハウジングを取付け部材に取付けた状態で取付け部材の外面に露出するハウジングの露出部にハウジング内に内装したスイッチを操作するためのスイッチ操作部を設け、該スイッチ操作部の周囲に切欠き部を形成すると共にスイッチ操作部と露出部とをヒンジとなる連設部により一体に連設し、露出部の外面に変形性を有する銘板を重ね、該銘板の外面側に操作用孔を有する保護プレートを配置すると共に保護プレートをハウジングに取付け、操作用孔から指を入れて銘板を介してスイッチ操作部を操作するものを考えた。これだと、スイッチ操作部をハウジングの一部として簡単に構成でき、また、保護プレートにより露出部に重ねる銘板の必要箇所以外の部分を覆って銘板の保護及び化粧仕上げを行うことができる。
【０００７】
ところが、このようなものにおいては、スイッチ操作部をハウジングの一部として簡単に構成できるが、切欠き部から内部に雨水が入らないようにする必要があり、更に、保護プレートの操作用孔に雨水が入った場合にこの部分に雨水が溜まらないようにする必要がある。
【０００８】
本発明は上記の点に鑑みてなされたものであり、簡単な構成で銘板の浮き上がりを確実に防止すると共に、簡単な構成で水仕舞ができる電気錠のコントローラユニットの水仕舞構造を提供することを課題とするものである。
【０００９】
【課題を解決するための手段】
上記課題を解決するために本発明に係る電気錠のコントローラユニットの水仕舞構造は、ドア枠又は子扉又は扉又は門扉よりなる取付け部材１に取付けられる電気錠のコントローラユニット７において、コントローラユニット７のハウジング１７を取付け部材１に取付けた状態で取付け部材１の外面に露出するハウジング１７の露出部７０にハウジング１７内に内装したスイッチ７２を操作するためのスイッチ操作部７３を設け、該スイッチ操作部７３の周囲に切欠き部８０を形成すると共にスイッチ操作部７３と露出部７０とをヒンジとなる連設部７１により一体に連設し、露出部７０の外面に変形性を有する銘板７４を重ね、該銘板７４の外面側に操作用孔７５を有する保護プレート７６を配置すると共に保護プレート７６をハウジング１７に取付け、操作用孔７５を銘板７４を介してスイッチ操作部７３に対向させ、保護プレート７６の背面に操作用孔７５の周囲を下端部のみを開口させて囲むように庇用リブ７７を突設すると共に庇用リブ７７の両下端部間の開口を排水用開口７８とし、この庇用リブ７７を露出部７０における切欠き部８０の周囲の部位に銘板７４を介して押えつけて成ることを特徴とするものである。
【００１０】
このようにハウジング１７の露出部７０にハウジング１７内に内装したスイッチ７２を操作するためのスイッチ操作部７３を設け、該スイッチ操作部７３の周囲に切欠き部８０を形成すると共にスイッチ操作部７３と露出部７０とをヒンジとなる連設部７１により一体に連設することで、ハウジング１７の露出部７０と一体にスイッチ操作部７３を構成できて、スイッチ操作部７３の構成が簡略化できるものである。そして、露出部７０の外面に変形性を有する銘板７４を重ね、該銘板７４の外面側に操作用孔７５を有する保護プレート７６を配置すると共に保護プレート７６をハウジング１７に取付け、操作用孔７５を銘板７４を介してスイッチ操作部７３に対向させ、保護プレート７６の背面に操作用孔７５の周囲を下端部のみを開口させて囲むように庇用リブ７７を突設すると共に庇用リブ７７の両下端部間の開口を排水用開口７８とし、この庇用リブ７７を露出部７０における切欠き部８０の周囲の部位に銘板７４を介して押えつけることで、庇用リブ７７により保護プレート７６の補強ができるだけでなく、庇用リブ７７により銘板７４が浮き上がるのを防止して確実に銘板７４を露出部７０の上に重ねて銘板７４により切欠き部８０やスイッチ操作部７３を覆うと共に万一銘板７４と露出部７０との間に水が浸入しても切欠き部８０側に水が浸入するのを防止してハウジング１７内に水が浸入しないものであり、また、操作用孔７５内に外部から水が入っても庇用リブ７７の両下端部間の排水用開口７８から保護プレート７６の背面側の庇用リブ７７を設けることで形成される保護プレート７６の背面と銘板７４の表面との間の隙間を排水路として下方に排水できて操作用孔７５部分に水が溜まらないものであり、更に、保護プレート７６の裏面側に水が入っても、庇用リブ７７の外側にガイドされながら保護プレート７６の裏面側の排水路を下方にスムーズに排水できる。
【００１１】
これらの理由で本発明においては、リブにより補強と銘板７４の浮き上がり防止とが行えると共に、簡単な構成でコントローラユニットに雨水が掛かった場合の水仕舞ができ、また、排水用開口７８を通じて保護プレート７６の背面側と外部とが連通しているので、保護プレート７６の背面側の乾燥も容易に行えて結露等が発生しないようにできるものである。
【００１２】
また、排水用開口７８の両側に位置する庇用リブ７７の両下端部７７ａ、７７ｂのうち、一方の下端部７７ａから他方の下端部７７ｂを越えて斜め下方に向けて傾斜リブ部７９を延設することが好ましい。
【００１３】
このような構成とすることで、操作用孔７５から入った水を傾斜リブ部７９で斜め方向にガイドしつつ集水しながら排水して保護プレート７６の裏面と銘板７４の表面との間に形成される排水路にスムーズに排水できるものである。
【００１４】
また、保護プレートの背面に露出部７０における切欠き部８０の周囲の部位を銘板７４を介して押さえる上記庇用リブ７７とは別の浮き上がり防止リブ８１を設け、上記傾斜リブ部７９の下端部に上下方向を向いた浮き上がり防止リブ８１の上端部を連設することが好ましい。
【００１５】
このような構成とすることで、庇用リブ７７だけでなく、他の箇所においても浮き上がり防止リブ８１により銘板７４の浮き上がりを防止でき、更に、庇用リブ７７と浮き上がり防止リブ８１とで裏面と銘板７４の表面との間に排水路を形成でき、また、傾斜リブ部７９の下端部に上下方向を向いた浮き上がり防止リブ８１の上端部を連設することで操作用孔７５から入った水を傾斜リブ部７９で斜め方向にガイドしつつ集水しながら排水し、更にこの集水した水を上下方向を向いた浮き上がり防止リブ８１に水切りして下方に排水できるものである。
【００１６】
【発明の実施の形態】
以下、本発明を添付図面に示す実施形態に基づいて説明する。
【００１７】
図示を省略しているが、開閉自在な扉を備えたドア装置又は開閉自在な門扉を備えた門扉装置には、扉又は門扉の施解錠を電気的に行う電気錠３を備えている。
【００１８】
このドア装置や門扉装置には電気錠３の施解錠の制御を行うための制御部４を収納したコントローラユニット７を設けてある。また、コントローラユニット７には非接触型のカードキー５の情報を読み取って制御部４により施解錠するためのアンテナ１６が内装してあり、また、コントローラユニット７の屋内側（門扉に取付ける場合には敷地内側）には屋内側（又は敷地内側）から電気錠の開閉操作をするスイッチ操作部７３と、カードキー５への暗証番号の登録を行ったりするための登録操作部３４が設けてある。
【００１９】
電気錠３はデッドボルトと、デッドボルトを駆動するデッドボルト駆動部と、デッドボルトが突出した際に挿入自在となったデッドボルト受け部とで構成してあり、デッドボルト駆動部は制御部４からの制御信号により駆動してデッドボルトを出没自在としており、ドア装置の場合にはデットボルトとデッドボルト駆動部を扉に取付け、デッドボルト受け部をドア枠や子扉や袖壁に取付けるものであり、門扉装置の場合にはデットボルトとデッドボルト駆動部を一方の門扉に取付け、デッドボルト受け部を他方の門扉又は門柱に取付けるものである。
【００２０】
コントローラユニット７はドア枠又は扉又は子扉又は門扉よりなる取付け部材１に取付けられる。図１には取付け部材１を構成する門扉の框にコントローラユニット７を取付ける例が示してある。框は金属製（例えばアルミニウム製）の中空筒状をしており、屋内側（敷地内側）から屋外側（道路側である敷地外側）に貫通するように取付け孔２が形成してあり、この取付け孔２にコントローラユニット７を貫挿して取付けてある。
【００２１】
コントローラユニット７の外殻を構成するハウジング１７は図１に示すように本体部９と、本体部９の屋外側端部に突設した屋外側突出部１０と、本体部９の屋内側端部に設けた巾広部１２とで構成してあり、巾広部１２は外形の大きさが取付け孔２の屋内側開口部１１よりも大きい。
【００２２】
上記コントローラユニット７のハウジング１７は、屋外側突出部１０、本体部９を備え且つ内部が中空部で屋内側に開口した箱状のケース１８と、該ケース１８の屋内側の開口に取付けられた巾広部１２を構成するカバー２０とで構成してある。
【００２３】
図１に示すような箱状のケース１８の屋外側突出部１０内にはアンテナ１６が内装してある。
【００２４】
カバー２０は図１、図３（ａ）、図４、図５等に示すようなもので、カバー２０内には電気錠３の開閉操作をするためのスイッチ７２を含む制御部４が内装してある。カバー２０の屋内側に露出する露出部７０には屋内側からスイッチ７２を操作して電気錠３の開閉操作をするためのスイッチ操作部７３が設けてある。また、露出部７０の下部にはカードキー５への暗証番号の登録を行ったりするための登録操作部３４が設けてある。
【００２５】
カバー２０の露出部７０にスイッチ操作部７３を形成するに当たっては、図３（ａ）に示すように、露出部７０の一部をＣ字状に切欠いて切欠き部８０を形成して、一部が露出部７０に一体に連設した上記Ｃ字状をした切欠き部８０に囲まれた部分をスイッチ操作部７３とするものである。スイッチ操作部７３は露出部７０に一体に連設した部分である連設部７１をヒンジとして回動自在となっており、このスイッチ操作部７３を押し操作することで電気錠の開閉操作をするためのスイッチ７２を操作するようになっている。
【００２６】
カバー２０の露出部７０の周囲には周リブ８２が設けてあり、該周リブ８２には被係合部８３となる孔が設けてある。また。露出部７０の下端部において周リブ８２には排水開口が設けてある。この排水開口としては、例えば周リブ８２の下端部に被係合部８３となる孔を設け、この孔を排水開口として兼用したり、あるいは周リブ８２の下端部に被係合部８３となる孔以外に別に孔又は切欠を設けて排水開口としてもよい。
【００２７】
露出部７０外面の周リブ８２に囲まれた部分には図３（ｂ）のように銘板７４が重ねられ、更に、周リブ８２に囲まれた部分には図３（ｃ）のように銘板７４の外側に保護プレート７６が配置されて図５に示すように保護プレート７６の係合部８４となる係合爪を周リブ８２の被係合部８３に係合して取付けてある。
【００２８】
ここで、銘板７４には「施錠」、「開錠」といった各スイッチ操作部７３に対応した操作を表示するための操作用表示部８５が設けてあり、各操作用表示部８５がそれぞれ対向したスイッチ操作部７３の外面に対応して位置している。操作用表示部８５は図４、図５に示すように中央部に行くほど盛り上がった略山型形状をしている。
【００２９】
保護プレート７６には各スイッチ操作部７３に対応して（つまり各操作用表示部８５に対応して）複数の操作用孔７５が設けてあり、銘板７４は上記操作用孔７５部分において操作用表示部８５が外部に露出する以外は他の部分が保護プレート７６により覆われて外部に露出しないようになっており、銘板７４を紫外線から保護するようになっている。なお、露出している銘板７４の操作用表示部８５部分に耐候性に優れたアクリル樹脂のポッティングを施して耐候性、操作感触の向上、高級感の演出をおこなったり、図８のように銘板７４と露出部７０との間に柔軟性のある４弗化エチレンシートのようなシート８６を介在させることで万一銘板７４が破れても雨水の浸入をシート８６により防止できるようにしている。該シート８６は銘板７４の背面に粘着剤により接着してもよい。
【００３０】
図６（ａ）に示すように、保護プレート７６の背面には外周部に沿って外周リブ８７が突設してあり、この外周リブ８７は下端部に排水口８８が設けてある。また、保護プレート７６の背面には操作用孔７５の周囲を下端部のみを開口させて囲むように庇用リブ７７が突設してあり、この庇用リブ７７の両下端部間の開口を排水用開口７８としてある。排水用開口７８の両側に位置する庇用リブ７７の両下端部７７ａ、７７ｂのうち、一方の下端部７７ａから他方の下端部７７ｂを越えて斜め下方に向けて傾斜リブ部７９を延設してある。更に保護プレート７６の背面の上部、上下の庇用リブ７７間の位置、下の庇用リブ７７の下方位置にそれぞれ複数の浮き上がり防止リブ８１が突設してある。複数の浮き上がり防止リブ８１のうち一部の浮き上がり防止リブ８１は上記した傾斜リブ部７９の下端部に連設しており、この連設した浮き上がり防止リブ８１は上下方向を向いていて傾斜リブ部７９に沿って流れる雨水を下方に排水して水切りする役目をしている。
【００３１】
そして、保護プレート７６の係合部８４をカバー２０の被係合部８３に係合して取付けた状態で、外周リブ８７により銘板７４の外周を露出部７０に押さえ付け、また、庇用リブ７７により銘板７４の操作用表示部８５の周囲を露出部７０における切欠き部８０の周囲の部位に押え付け、更に、浮き上がり防止リブ８１により銘板７４の他の部位を露出部７０に押さえ付け、これにより銘板７４が浮き上がらないようにしている。ここで、庇用リブ７７により銘板７４の操作用表示部８５の周囲を露出部７０における切欠き部８０の周囲の部位に押え付けているので、操作用表示部８５を指で押してスイッチ操作部７３を操作するのに支障がないものであり、また、万一銘板７４と露出部７０との間に水が浸入しても切欠き部８０側に水が浸入するのを防止してハウジング１７内に水が浸入しないようにしている。上記のように保護プレート７６の背面に突設した外周リブ８７、庇用リブ７７、浮き上がり防止リブ８１により銘板７４を押え付けることで、保護プレート７６の背面と銘板７４の表面との間において各リブ８１により図６（ｂ）の矢印に示すような排水路が形成されることになり、この排水路の下端が外周リブ８７の下端部の排水口８８に至り、更に、この外周リブ８７の排水口８８が露出部７０の周リブ８２の下端部の排水開口に連通して外部に開口している。
【００３２】
また、保護プレート７６の下部には図３（ｃ）に示すようにスライド蓋７６ａが設けてあり、スライド蓋７６ａをスライドして開くと、登録操作部３４が露出するようになっており、この登録操作部３４は使用の初期に設定するのみなので、設定が終わると図２に示すようにスライド扉７６ａを閉じて登録操作部３４が外部に露出して雨が侵入しないように遮蔽するものである。
【００３３】
上記のような構成のコントローラユニット７を取付け部材１に取付けるには以下のようにして行うものである。すなわち、コントローラユニット７の本体部９を取付け部材１の取付け孔２に屋内側から嵌め込み、屋外側突出部１０が取付け孔２の屋外側開口部８から屋外側に突出させる。この場合、巾広部１２が取付け部材１の屋内側面に対向するのであるが、この巾広部１２と取付け孔２の屋内側開口部１１の縁部外周の取付け部材１の屋内側端部との間に気密材３１を介在させた状態で、カバー２０のねじ挿入孔４０から固着具４２であるねじ具を挿入してねじ具を取付け部材１の屋内側面部に固着する。
【００３４】
なお、このように取付け部材１に取付けたコントローラユニット７の屋外側及び屋内側にはそれぞれ図９のように枠状をした化粧カバー９０を取付けてもよい。
【００３５】
図１０には電気錠３の制御システムの概略制御ブロック図が示してある。暗証コードが書き込まれたカードキー５を屋外側（又は敷地外側）においてコントローラユニット７の屋外側突出部１０に近づけることで、カードキー５に書き込まれた暗証コードをアンテナ１６、送受信部４５を介して認証／書換部４６で記憶部４７に記憶されている正規に登録された暗証コードであるか否かの認証を行い、正規の暗証コードと認証されると制御部４により電気錠３の施解錠を行う。
【００３６】
また、屋内側（又は敷地内側）において、操作用孔７５から指を入れて操作用表示部８５を押してスイッチ操作部７３を操作することで制御部４により電気錠３の施解錠を行う。
【００３７】
コントローラユニット７には施錠や解錠を報知したりするためのＬＥＤやブザー等の報知部４８が設けてある。
【００３８】
なお、登録操作部３４においてカードキー５の暗証コードの書き換え操作ができるようになっており、この場合、認証／書換部４６で書換えられた新たな暗証コードが記憶部４７に登録されるようになっている。
【００３９】
しかして、コントローラユニット７を門扉のように取付け部材１に取付けるような使用をすると、コントローラユニット７に直接雨水が掛かるものである。この場合、保護プレート７６には操作用孔７５が開口しているので、操作用孔７５に雨水が入るが、庇用リブ７７の両下端部間の排水用開口７８から保護プレート７６の背面側の上記排水路に流すことができて操作用孔７５部分に水が溜まらないものであり、この場合、操作用孔７５から入った水を傾斜リブ部７９で斜め方向にガイドしつつ集水しながら排水して保護プレート７６の裏面と銘板７４の表面との間に形成される排水路にスムーズに排水できるものであり、また、傾斜リブ部７９によりガイドしつつ集水した水を上下方向を向いた浮き上がり防止リブ８１で確実に水切りして下方に排水できるものである。
【００４０】
また、周リブ８２と外周リブ８７との間から保護プレート７６の裏面側に水が入っても、外周リブ８７と庇用リブ７７と浮き上がり防止リブ８１とにガイドされて下方にスムーズに排水され、特に、庇用リブ７７の外周面によりガイドされて下方に流れるので、操作用孔７５に内側から水が流れ出すことがないものであり、操作の支障にならないようになっている。
【００４１】
更に、万一銘板７４と露出部７０との間に水が浸入するようなことが生じても、庇用リブ７７により切欠き部８０の周囲の部位を押え付けているので、切欠き部８０側に水が浸入しないようにできるものである。もちろん、銘板７４を露出部７０に粘着剤等で接着することも考えられるが、このような場合も、接着が不良な部分において銘板７４と露出部７０との間から水が浸入するような場合があり、この際も上記のようにして庇用リブ７７により切欠き部８０の周囲の部位を押え付けているので、切欠き部８０側に水が浸入しないようにできるものである。
【００４２】
そして、本発明においては排水用開口７８を通じて保護プレート７６の背面側と外部とが連通しているので、保護プレート７６の背面側の乾燥も容易に行えて結露等が発生しないようなっている。
【００４３】
上記のように、本発明においては電気錠のコントローラユニット７を雨水が直接掛かる門扉に使用しても防水上問題がないようにしているが、雨水が直接掛からない玄関の扉、子扉、ドア枠等に取付けることができるのはもちろんである。
【００４４】
【発明の効果】
上記のように本発明にあっては、リブに補強の役目と銘板押さえの役目とを兼用させることができると共に簡単な構成でコントローラユニットの水仕舞ができ、保護プレートの背面側の乾燥も容易に行えて結露等が発生しないようにできるものである。
【図面の簡単な説明】
【図１】本発明のコントローラユニットの取付け部分の側面断面図である。
【図２】同上の正面図である。
【図３】（ａ）は同上の銘板、保護プレートを外した状態の正面図であり、（ｂ）は保護プレートを外した状態の正面図であり、（ｃ）は保護プレートを取付け且つスライド蓋を開けた状態の正面図である。
【図４】同上の図２のＸ−Ｘ線の拡大断面図である。
【図５】同上の図２のＹ−Ｙ線の拡大断面図である。
【図６】（ａ）は同上に用いる保護カバーの背面図であり、（ｂ）は水を排水する経路の説明図である。
【図７】同上に用いる保護カバーの正面図である。
【図８】同上の銘板と露出部との間に柔軟性のあるシートを介在させた例を示す拡大断面図である。
【図９】（ａ）は同上の化粧カバーを取付けた状態の正面図であり、（ｂ）は背面図である。
【図１０】同上の電気錠システムの制御ブロック図である。
【符号の説明】
１  取付け部材
３  電気錠
４  制御部
７  コントローラユニット
７０  露出部
７１  連設部
７２  スイッチ
７３  スイッチ操作部
７４  銘板
７５  操作用孔
７６  保護プレート
７７  庇用リブ
７８  排水用開口
７９  傾斜リブ
８０  切欠き部
８１  浮き上がり防止リブ
【図１】
2004353204.tif 000003
【図２】
2004353204.tif 000004
【図３】
2004353204.tif 000005
【図４】
2004353204.tif 000006
【図５】
2004353204.tif 000007
【図６】
2004353204.tif 000008
【図７】
2004353204.tif 000009
【図８】
2004353204.tif 000010
【図９】
2004353204.tif 000011
【図１０】
2004353204.tif 000012